(57)【要約】      （修正有）【課題】運搬物の周囲を巻回装着したベルト本体を幅全体にわたって均一で且つワンタッチでたぐり寄せ、更に強く堅固に巻き締めできる荷崩れ防止ベルトを提供する。【解決手段】ベルト本体１が運搬物Ｃ周囲を巻回し、ベルト本体１の両端部同士に設けた固定手段によって端部同士を止着可能として運搬物Ｃの荷崩れを防止する荷崩れ防止ベルトを形成する。ベルト本体１に雄雌の面ファスナ１２，１３を並設してなる折り畳み止着式のベルト長さ調整手段Ｑを固定手段近傍に付設する。このベルト長さ調整手段Ｑは、ベルト本体１から突設したフラップ部１１の片面に雄雌の面ファスナ１２を付設し、フラップ部１１の雄雌の面ファスナ１２に対向してベルト本体１の片面に雌雄の面ファスナ１３を付設する。【選択図】図３
0003137362.tif 000002
【実用新案登録請求の範囲】
【請求項１】
ベルト本体が運搬物周囲を巻回し、ベルト本体の端部同士に設けた固定手段によって当該端部同士を止着可能としたものとなって当該運搬物の荷崩れを防止する荷崩れ防止ベルトであって、ベルト本体に雄雌の面ファスナを並設してなる折り畳み止着式のベルト長さ調整手段を付設したことを特徴とする荷崩れ防止ベルト。
【請求項２】
ベルト長さ調整手段は、固定手段の近傍に付設されてなる請求項１記載の荷崩れ防止ベルト。
【請求項３】
ベルト長さ調整手段は、ベルト本体から突設したフラップ部の片面に雄雌の面ファスナが付設され、該フラップ部の雄雌の面ファスナに対向してベルト本体の片面に雌雄の面ファスナが付設されてなる請求項１または２記載の荷崩れ防止ベルト。
【考案の詳細な説明】
【技術分野】
【０００１】
本考案は、例えば商品を梱包した段ボール、または油缶等の角形斗缶、さらには米袋等の布袋等による各種の運搬物を段積み状に積載可能としたフォーク差込孔を備えた平板状の運搬用パレットまたは荷役用カート上の当該運搬物を結束し、荷崩れを防止するようにした荷崩れ防止ベルトに関する。
【背景技術】
【０００２】
従来から、運搬用パレットまたは荷役用カート上の運搬物を結束して荷崩れを防止するための荷崩れ防止ベルトにおいて、当該荷崩れ防止ベルトの長さを調整可能としたものとして、例えば特許文献１に開示されているように、積載台上に積載された運搬物の周囲に巻回装着されるベルト本体の端部相互を接合固定する仮止め固定手段を備えることで運搬物の荷崩れを防止すると共に、運搬物の周囲を巻回装着したベルト本体を部分的にたぐり寄せるようにして巻き締める巻き締め手段をベルト本体の上下方向で複数にして配置形成してなる荷崩れ防止ベルトが存在する。
【０００３】
この巻き締め手段は、巻き締めを必要とするベルト本体位置で、ベルト本体に基部が固着された帯状の巻き締め片を、この巻き締め片の固着位置とは巻き締めを必要とする長さ間隔で離れた位置で固着してある帯通し環に挿通させ、反転状に折り返して巻き締め片自体を雌雄の面ファスナにて接合貼着できるようにして構成されている。
【特許文献１】特開２００４−１４２８０４号公報
【考案の開示】
【考案が解決しようとする課題】
【０００４】
しかしながら、従来においては、巻き締め手段は、巻き締めを必要とするベルト本体位置で、上下方向で複数にして配置形成してあることから当該巻き締め手段の個々の調整が非常に面倒なものとなる。
【０００５】
すなわち、ベルト本体に基部が固着された帯状の巻き締め片を、この巻き締め片の固着位置とは巻き締めを必要とする長さ間隔で離れた位置で固着してある帯通し環に挿通させ、反転状に折り返して巻き締め片自体を雌雄の面ファスナにて接合貼着するという操作を複数の巻き締め手段毎に個別に行う必要がある。
【０００６】
そこで、本考案は叙上のような従来存した諸事情に鑑み創案されたもので、運搬物の周囲を巻回装着したベルト本体を幅全体にわたって均一で且つワンタッチでたぐり寄せて、更に強く堅固に巻き締め固定できる荷崩れ防止ベルトを提供することを目的とする。
【課題を解決するための手段】
【０００７】
上述した課題を解決するため、本考案にあっては、ベルト本体１が運搬物Ｃ周囲を巻回し、ベルト本体１の端部同士に備えた固定手段（２，３）によって当該端部同士を止着可能としたものとなって当該運搬物Ｃの荷崩れを防止する荷崩れ防止ベルトであって、ベルト本体１に雄雌の面ファスナ（１２，１３）を並設してなる折り畳み止着式のベルト長さ調整手段Ｑを付設したものである。
このベルト長さ調整手段Ｑは、固定手段（２，３）の近傍に付設されてなるものとすることができる。
また、ベルト長さ調整手段Ｑは、ベルト本体１から突設したフラップ部１１の片面に雄雌の面ファスナ１２が付設され、該フラップ部１１の雄雌の面ファスナ１２に対向してベルト本体１の片面に雌雄の面ファスナ１３が付設されてなるものとすることができる。
【０００８】
以上のように構成された本考案に係る荷崩れ防止ベルトにあって、ベルト長さ調整手段Ｑは、ベルト本体１を例えば荷役用パレットＰ上に段積み状に積載されている運搬物Ｃ周囲に水平方向で巻回装着した後の当該ベルト本体１を幅全体にわたって均一で且つワンタッチでたぐり寄せ、更に強く巻き締めることを可能にさせる。
巻き締めるとき、固定手段（２，３）の近傍に付設されているベルト長さ調整手段Ｑのフラップ部１１をたぐり寄せてから、当該フラップ部１１の雄雌の面ファスナ１２を、ベルト本体１の片面に付設されている雌雄の面ファスナ１３の所望位置に接合し止着させることにより運搬物Ｃの巻き締め程度の調整を可能にさせる。
【考案の効果】
【０００９】
本考案によれば、運搬物Ｃの周囲を巻回装着したベルト本体１を幅全体にわたって均一で且つワンタッチでたぐり寄せて巻き締めることができ、たぐり寄せることで更に強く堅固に運搬物Ｃを巻回固定できる。
【００１０】
すなわち、これは本考案が、ベルト本体１に雄雌の面ファスナ（１２，１３）を並設してなる折り畳み止着式のベルト長さ調整手段Ｑを付設したからであり、これにより、ベルト本体１全体に均等に引っ張り力を加えることができ、ベルト本体１の巻回力の緩みや撓みによる荷崩れを確実に防止することができる。
【００１１】
ベルト長さ調整手段Ｑは、固定手段（２，３）の近傍に付設されてなるので、固定手段（２，３）によるベルト本体１の両端部同士の止着作業と略並行して行うことができ、しかもベルト本体１の巻回力の緩みや撓みによる荷崩れ防止作業をスムーズに行うことができる。
【００１２】
また、ベルト長さ調整手段Ｑは、ベルト本体１から突設したフラップ部１１の片面に雄雌の面ファスナ１２が付設され、該フラップ部１１の雄雌の面ファスナ１２に対向してベルト本体１の片面に雌雄の面ファスナ１３が付設されてなるので、ベルト長さ調整手段Ｑのフラップ部１１をたぐり寄せてから、当該フラップ部１１の雄雌の面ファスナ１２を、ベルト本体１の片面に付設されている雌雄の面ファスナ１３の所望位置に接合し止着させることで、運搬物Ｃに対する均一な巻き締めと、その巻き締め力の調整とをワンタッチで行える。
【００１３】
さらに、ベルト本体１を運搬物Ｃの周囲に巻回装着する前に、このベルト長さ調整手段Ｑによってベルト本体１の長さを予め調整しておくことも可能であり、以後のベルト本体１の巻回装着がスムーズに行える。
【００１４】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１５】
以下、図面を参照して本考案を実施するための最良の一形態を説明する。図において示される符号１は所定幅員を有するベルト本体であり、例えば商品を梱包した段ボール、または油缶等の角形斗缶、さらには米袋等の布袋等による各種の運搬物Ｃを段積み状に積載して運搬できる例えば前後方向に貫通するフォーク差込孔を左右一対備えた平板状の荷役用パレットＰあるいは所謂カートと称する積載台車等に積載された当該運搬物Ｃを略水平方向で巻回装着したり、あるいは図示を省略したが荷役用パレットＰ・積載台車と共に上下方向で巻回装着したりするに足りる長さと幅員とを備えた帯状に形成されている。
【００１６】
すなわち、このベルト本体１は、運搬物Ｃをほぼ水平方向で巻回装着する場合には、例えば荷役用パレットＰ上に段積みされた運搬物Ｃの上下方向で必要があれば複数段に跨がって掛け渡される例えば４５ｃｍ程度の上下方向の幅員と、運搬物Ｃの周囲を水平方向で囲繞するに足りる例えば２８０ｃｍ程度の長さとを備えたものとなっている。これの形成素材は例えばポリエステル繊維をポール・グラスファイバーと共に織成したものであり、外部からの衝撃、破断力その他に対しては容易には破断されない程度の強靱性を備えたものとしてある。
【００１７】
図２（ａ）に示すように、このベルト本体１には、端部同士を止着するための固定手段（２，３）として、一端部の上下位置の長手方向側縁部に沿ってベルト連結用面ファスナ３が縫着等によって付設され、このベルト連結用面ファスナ３に対向して、ベルト本体１の他端部には角環と称される縦長のベルト連結用挿通環２の長手一端側が、当該ベルト本体１の他端部に付設されている雄雌の面ファスナ同士の接合等によって挟持装着されている。このベルト連結用面ファスナ３は、例えば長さ約８５ｃｍ程度の雌側の面ファスナと、例えば長さ約１５ｃｍ程度の雄側の面ファスナとが縫着等によって連設布置されてなる。
【００１８】
また、ベルト本体１の固定手段（２，３）の近傍位置である例えばベルト連結用面ファスナ３側寄りの箇所には、雄雌の面ファスナ（１２，１３）を並設してなる折り畳み止着式のベルト長さ調整手段Ｑを付設してある。
【００１９】
尚、ベルト本体１の固定手段（２，３）の近傍位置として、例えばベルト連結用挿通環２側寄りの箇所にベルト長さ調整手段Ｑを付設しても良く、いずれにしてもベルト長さ調整手段Ｑは、固定手段（２，３）によるベルト本体１の端部同士の止着後において略並行してベルト本体１の長さ調整作業が行い易いものとなるよう当該固定手段（２，３）の近傍位置に設けられていることが好ましい。
【００２０】
このベルト長さ調整手段Ｑは、図２（ｂ）に示すように、ベルト本体１のベルト連結用面ファスナ３側寄りの箇所から突設した帯板状のフラップ部１１の片面に雄型（雌型）の面ファスナ１２が付設され、該フラップ部１１の雄型（雌型）の面ファスナ１２に対向してベルト本体１のベルト連結用面ファスナ３側での引き締めが可能な長さ範囲としての例えば約２００ｍｍ範囲の面全体に雌型（雄型）の面ファスナ１３が付設されてなる。
【００２１】
そして、このベルト長さ調整手段Ｑは、図３（ａ）、（ｂ）に示すように、フラップ部１１をたぐり寄せてから、当該フラップ部１１の雄型（雌型）の面ファスナ１２を、ベルト本体１の片面に付設されている雌型（雄型）の面ファスナ１３の所望位置に接合し止着させるものとしてある。
【００２２】
また、この雌型（雄型）の面ファスナ１３の長さを例えば約２００ｍｍとすることで、全体的に約２０ｃｍ程度は引き締め可能な幅員とすることができる。もとより、この長さは、運搬物Ｃの種類に対応して任意に設定可能であり、ベルト本体１全体の長さに対応して異なるものである。
【００２３】
さらに、このベルト本体１の一端部中央には、当該ベルト本体１を作業者がその手指等で直接に引っ張るための縦長孔状の把持部４が設けられており、ベルト本体１の他端部における片側縁部には、当該ベルト本体１を丸めて折り畳んだ状態にしてから掛架して収容するための掛架用ベルト５が付設されている。
【００２４】
ベルト本体１の使用に際し、図１（ａ）、（ｂ）または図２（ａ）、（ｂ）に示すように、荷役用パレットＰ上に段積み状に積載されている運搬物Ｃを水平方向で巻回装着してから、固定手段（２，３）によってベルト本体１の端部同士を止着する。すなわち、ベルト本体１の一端部をベルト連結用挿通環２に挿通して折り返し状に反転させ、ベルト本体１の把持部４を手でもって牽引することで運搬物Ｃをベルト本体１で巻き締める状態にしてから、ベルト連結用面ファスナ３それぞれに連設配置してある雌雄の面ファスナ同士を貼着接合することによって固定して運搬物Ｃの荷崩れを防止する。
【００２５】
そして、ベルト本体１の一端部内には、ベルト本体１を把持部４にて牽引するときの当該一端部における保形性を維持するよう端部に直交させて細帯板、丸棒の如き保形芯材６を内装してある。
【００２６】
さらに、ベルト本体１のベルト長さ調整手段Ｑの位置とは異なる略中間部には、ベルト本体１における長手方向へは伸縮が可能であり、幅方向へは実質的に伸縮しない上下一対の伸縮帯７が介在連設され、運搬物Ｃ周囲へのベルト本体１の締め付けに際し、当該ベルト本体１の長手方向に伸縮性を有する伸縮帯７によって適当な締め付け力が得られるようにしてある。
【００２７】
また、ベルト本体１の長手方向に沿っての片側一端縁部には、図１（ｂ）および図２（ｂ）に示すように、運搬物Ｃの上面を包覆する包覆ネットＮの周縁部を係架保持させるための複数の係止用小ベルト８が略等間隔毎に付設されている。すなわち、この係止用小ベルト８は、帯部材の一端側をベルト本体１裏側の一端縁部に縫着してベルト本体１の長手方向に対して直角となって突設され、帯部材の突出先端側の裏表両面には例えば雄側の面ファスナが縫設してある。そして、この雄側の面ファスナに対応して、ベルト本体１の裏表両面には長手方向に沿って等間隔毎に雌側の面ファスナが付設されている。
【００２８】
包覆ネットＮ自体は、適度な張力が生じるような例えば強靱な細紐材によって網編されることで各網目が略菱形・矩形その他を呈する網目構造となっている略立体台形の袋状を呈してなる。そして、係止用小ベルト８を使用する際には、運搬物Ｃの上面を包覆した包覆ネットＮの周縁部を、係止用小ベルト８を下方に折り返すことで巻き込み状に係架させ、雄雌の面ファスナ同士を係着させることで当該包覆ネットＮが運搬物Ｃ上面で保持されるものとしてある。
【００２９】
尚、包覆ネットＮが取り付けられる係止用小ベルト８は使用の一形態に過ぎず、係止用小ベルト８を包覆ネットＮの取り付け以外に使用することもできる。
【００３０】
次に、以上のように構成された最良の形態についての使用の一例について説明する。ベルト本体１の使用に際し、図１（ａ）に示すように、荷役用パレットＰ上に段積み状に積載されている運搬物Ｃを水平方向で巻回装着してから、固定手段（２，３）によってベルト本体１の端部同士を止着する。
【００３１】
すなわち、ベルト本体１の一端部をベルト連結用挿通環２に挿通して折り返し状に反転させ、図１（ｂ）に示すように、ベルト本体１の把持部４を手でもって牽引することで運搬物Ｃをベルト本体１で巻き締める状態にしてから、ベルト連結用面ファスナ３それぞれに連設配置してある雌雄の面ファスナ同士を貼着接合する。
【００３２】
このようにベルト本体１が運搬物Ｃ周囲に巻回装着した状態において、図３（ａ）、（ｂ）に示すように、ベルト長さ調整手段Ｑのフラップ部１１を作業者自身の手指等で持ってたぐり寄せてから、当該フラップ部１１の雄型（雌型）の面ファスナ１２を、ベルト本体１の片面に付設されている雌型（雄型）の面ファスナ１３の所望位置に接合することで、更なる巻き締め長さを調整しながら止着させる。
【００３３】
尚、ベルト本体１を運搬物Ｃの周囲に巻回装着する前に、このベルト長さ調整手段Ｑによってベルト本体１の長さを予め調整しておいても良く、以後のベルト本体１の巻回装着がスムーズに行えるものとなる。
【００３４】
そして必要があれば、図１（ｂ）に示すように、運搬物Ｃの上面に包覆ネットＮが包覆され、該包覆ネットＮの周縁部は、係止用小ベルト８を折り返して雌雄の面ファスナ同士を貼着接合することによって巻き込み状に係架保持する。
【００３５】
尚、図示による詳細な説明を省略するが、このベルト本体１の固定手段（２，３）は、上記した構成に限らず、ベルト本体１の端部相互を重ねあせて接合可能とするよう、重なり合う端部の内外側面に雌雄のベルト連結用面ファスナ３を配置形成し、且つ端縁部に端部相互を牽引できるように把持部４を付設することもできる。また、ベルト長さ調整手段Ｑは、面ファスナ１２，１３を使用する替わりに、雄雌のボタンを採用しても良い。
【００３６】
さらに固定手段の他の構成として、ベルト本体１の端部相互あるいは端部夫々に連結した締結帯を重ね合わせたときの内外に位置する端部相互の内外側面同士を雌雄のベルト連結用面ファスナ３によって貼着接合する。あるいはベルト本体１のいずれか一方の端部に連結したリング状のゴムバンドの如き弾性部材を、他方の端部の裏表両面に配したフック、ボタン等に係合する。また、端部相互をボタン、フック等によって直接的に係合固定しても良く、いずれにしてもベルト本体１を運搬物Ｃに装着した状態で固定できればその構造は特に限定されるものではない。
【図面の簡単な説明】
【００３７】
【図１】本考案を実施するための最良の形態における使用の一例を示すもので、（ａ）はベルト本体の一端部をベルト連結用挿通環に挿通して折り返し状に反転させる状態の斜視図、（ｂ）はベルト連結用面ファスナそれぞれに連設配置してある雌雄の面ファスナ同士を貼着接合した状態の斜視図である。
【図２】同じくベルト本体の一構成例を示し、（ａ）は展開状態の一部省略平面図、（ｂ）は（ａ）のＸ−Ｘ断面図である。
【図３】ベルト本体のベルト長さ調整手段の一例を示し、（ａ）はベルト長さ調整手段のフラップ部をたぐり寄せている状態の斜視図、（ｂ）はフラップ部の雄型（雌型）の面ファスナを、ベルト本体の中間部面全体に付設されている雌型（雄型）の面ファスナの所望位置に接合し止着させた状態の斜視図である。
【符号の説明】
【００３８】
Ｐ…荷役用パレット                      Ｃ…運搬物
Ｑ…ベルト長さ調整手段                  Ｎ…包覆ネット
１…ベルト本体                          ２…ベルト連結用挿通環（固定手段）
３…ベルト連結用面ファスナ（固定手段）  ４…把持部
５…掛架用ベルト                        ６…保形芯材
７…伸縮帯                              ８…係止用小ベルト
１１…フラップ部                        １２，１３…雄雌の面ファスナ
【図１】
0003137362.tif 000003
【図２】
0003137362.tif 000004
【図３】
0003137362.tif 000005